(57)【要約】【課題】  ほうきの毛部材が届く所までしか掃き掃除ができないという不都合を解決すること。【解決手段】  ほうきの柄の先端にポンプ部を設けて、柄の中にポンプ部と接続されたチューブを通し、ほうき本体の片端からチューブを保持するガイド部を設け毛部材が届かなくてもポンプ部を押すことにより埃を飛び散らして、飛び散った埃を掃いて清掃することができる送風機能付きほうき２などによりこの課題を解決する。【選択図】図２
0003121794.tif 000002
【実用新案登録請求の範囲】
【請求項１】
柄の先端にポンプ部を設け柄の中にポンプと接続されたチューブを通し、ほうき本体の片端からチューブを出したことを特徴とするほうき。
【請求項２】
柄の中にポンプと接続されたチューブを通し、ほうき本体の片端からチューブを保持するガイド部を設けたことを特徴とするほうき。
【請求項３】
柄の先端のポンプ部を動物とかキャラクターをデザインした物を設けたことを特徴とするほうき。
【考案の詳細な説明】
【技術分野】
【０００１】  本考案は、ほうきに関する物であり、ほうき本体の片端から送風機能を設ける事によって、溝の中の埃だまり等を吹き飛ばして掃除できる様にした物である。
【背景技術】
【０００２】  従来のほうきでは毛部材が届く所までの掃除具であった。
【考案の開示】
【考案が解決しようとする課題】
【０００３】  しかし、これでは、入隅部の細かな埃だまりとか玄関ドアのフランス落としの下つぼの中の埃だまりに毛部材が届かなく不便であった。
【課題を解決するための手段】
【０００４】  この課題を解決するための請求項１の考案は、ほうきの柄の先端にポンプ部を設けたことを特徴とする、送風機能付きほうきである。ポンプ部を押すことにより、チューブ先端から空気が圧送され毛部材が届かなくても細かな埃を飛び散らして、飛び散った埃を掃いて清掃することができる。【０００５】  また、請求項２の考案は、ほうきの柄の中にポンプ部と接続されたチューブを通し、ほうき本体の片端からチューブを保持するガイド部を設けたことを特徴とする、送風機能付きほうきである。ガイド部は毛部材のしなりにより床面に接触しない長さにし、チューブ先端は毛部材と同じ長さにすることにより、毛部材が届かなくても埃を飛び散らして、飛び散った埃を掃いて清掃することができる。【０００６】  また、請求項３の考案は、ほうきの柄の先端のポンプ部を動物とかキャラクターをデザインした物を設けたことを特徴とする、送風機能付きほうきである。ほうきを使用しない場合はそのキャラクターの手や突起物を利用して壁に引っ掛けれるように保管できる。
【考案の効果】
【０００７】  よって、本考案の送風機能付きほうきにより、毛部材が届かない所はポンプ部を押すことにより、チューブ先端から空気が圧送され細かな埃を飛び散らして、飛び散った埃を掃いて清掃することができる。
【考案を実施するための最良の形態】
【０００８】  図１は柄１の先端にポンプ部２を設けたことを特徴とする、送風機能付きほうき２０の断面図である。同図に示すように、ポンプ部２を押すことにより、チューブ先端６から空気が圧送され、毛部材７が届かない細かな埃を飛び散らして、飛び散った埃を掃いて清掃することができる。【０００９】  図２は柄１の中にポンプ部２と接続されたチューブ３を通し、ほうき本体４の片端からチューブ３を保持するガイド部５を設けたことを特徴とする、送風機能付きほうき２０の正面図である。ガイド部５は毛部材７のしなりにより床面１０に接触しない長さにし、チューブ先端６は毛部材７と同じ長さにすることにより、毛部材７が届かなくても埃を飛び散らして、飛び散った埃を掃いて清掃することができる。柄１の素材はアルミ材が望ましくチューブ３はビニール管が望ましい。【００１０】  図３は柄１の先端のポンプ部２を動物とかキャラクターをデザインした物を設けたことを特徴とする、送風機能付きほうき２０の使用状態図である。ほうきを使用しない場合はそのキャラクターの手や突起物８を利用して壁９に引っ掛けられるように保管できる。
【図面の簡単な説明】
【００１１】
【図１】  柄の先端にポンプ部を設けた送風機能付きほうきの断面図である。
【図２】  送風機能付きほうきの正面図である。
【図３】  柄の先端にポンプ部を動物とかキャラクターをデザインした送風機能付きほうきの使用状態図である。
【符号の説明】
【００１２】  １    柄
２    ポンプ部
３    チューブ
４    ほうき本体
５    ガイド部
６    チューブ先端
７    毛部材
８    突起物
９    壁
１０  床面
２０  送風機能付きほうき
【図１】
0003121794.tif 000003
【図２】
0003121794.tif 000004
【図３】
0003121794.tif 000005
【手続補正書】
【提出日】平成18年1月12日(2006.1.12)
【手続補正１】
【補正対象書類名】実用新案登録請求の範囲
【補正対象項目名】全文
【補正方法】変更
【補正の内容】
【実用新案登録請求の範囲】
【請求項１】
ほうきの柄の先端にポンプ部を設けて、柄の中にポンプと接続されたチューブを通し、ほうき本体の片端からチューブを出した送風機能付きほうき。
【手続補正２】
【補正対象書類名】明細書
【補正対象項目名】全文
【補正方法】変更
【補正の内容】
【考案の詳細な説明】
【技術分野】
【０００１】  本考案は、ほうきに関する物であり、ほうき本体の片隅から送風機能を設ける事によって、溝の中の埃だまり等を吹き飛ばして掃除できる様にした物である。
【背景技術】
【０００２】  従来のほうきでは毛部材が届く所までの掃除具であった。
【考案の開示】
【考案が解決しようとする課題】
【０００３】  従来のほうきでは隅々の細かな埃だまりとか、玄関ドアのフランス落としの下つぼの中の埃だまりに毛部材が届かなく息を吹いたり、指先で埃を寄せたりして問題点を有していた。本考案は、この課題を解消するためになされたものである。
【課題を解決するための手段】
【０００４】  この課題を解決するために、ほうきの柄１の先端にポンプ部２を設け、ポンプ部２を押す事により、チューブ先端６から空気が圧送されて毛部材が届かなくても細かな埃を飛び散らして、飛び散った埃を掃いて清掃することができるようにした。
【考案の効果】
【０００５】  毛部材が届かない所はポンプ部を押すことにより、チューブ先端から空気が圧送され細かな埃を飛び散らして、飛び散った埃を掃いて清掃することができる。
【考案を実施するための最良の形態】
【０００６】  図１は柄１の先端にポンプ部２を設け、ポンプ部２を押すことにより、チューブ先端６から空気が圧送され、毛部材７が届かない細かな埃を飛び散らして、飛び散った埃を掃いて清掃することができる送風機能付きほうき２０の断面図である。【０００７】  図２は柄１の中にポンプ部２と接続されたチューブ３を通し、ほうき本体４の片隅からチューブ３を保持するガイド部５を設け、ガイド部５は毛部材７のしなりにより床面１０に接触しない長さにし、毛部材７が届かなくても埃を飛び散らして、飛び散った埃を掃いて清掃することができる。柄１の素材は軽量のアルミ材が望ましくチューブ３はビニール管が望ましい。送風機能付きほうき２０の正面図である。
【図面の簡単な説明】
【０００８】
【図１】  柄の先端にポンプ部を設けた送風機能付きほうきの断面図である。
【図２】  送風機能付きほうきの正面図である。
【符号の説明】
【０００９】  １  柄
２  ポンプ部
３  チューブ
４  ほうき本体
５  ガイド部
６  チューブ先端
７  毛部材
１０  床面
２０  送風機能付きほうき
【手続補正３】
【補正対象書類名】図面
【補正対象項目名】図３
【補正方法】削除
【補正の内容】